(57)【要約】【課題】簡易かつ組立の容易な構成により人体の接触状態を確認することができる電子体温計を提供する。【解決手段】使用者の被測定部位に当てられる測温部を先端に備えるプローブ部３０を有し、該測温部に温度を検出するための温度センサ６が配置される内部中空の外ケースと、温度センサ６によって検出されるデータを処理する制御回路が形成された電子回路基板が取り付けられて、外ケースの中空内部に装着される内ケース４０と、内ケース４０に固定され、内ケース４０が外ケースに装着されることによりプローブ部３０の内側に位置決めされる一対の電極７ａ、７ｂと、を備え、制御回路には、一対の電極間の静電容量を計測し、計測された静電容量の変化に基づいてプローブ部３０が使用者の被測定部位に適切に接触しているか否かを判定する判定部が設けられていることを特徴とする。【選択図】図２
2010032324.tif 000002
【特許請求の範囲】
【請求項１】
使用者の被測定部位に当てられる測温部を先端に備えるプローブ部を有し、該測温部に温度を検出するための温度センサが配置される内部中空の外ケースと、
前記温度センサによって検出されるデータを処理する制御回路が形成された電子回路基板が取り付けられて、前記外ケースの中空内部に装着される内ケースと、を備える電子体温計において、
前記内ケースに固定され、前記内ケースが前記外ケースに装着されることにより前記プローブ部の内側に位置決めされる一対の電極を備えるとともに、
前記制御回路には、前記一対の電極間の静電容量を計測し、計測された静電容量の変化に基づいて前記プローブ部が使用者の被測定部位に適切に接触しているか否かを判定する判定部が設けられていることを特徴とする電子体温計。
【請求項２】
前記一対の電極が、前記プローブ部の長手方向に互いに間隔を空けて並べられることを特徴とする請求項１に記載の電子体温計。
【請求項３】
前記一対の電極が、前記一対の電極に設けられた凹部又は凸部と前記内ケースに設けられた凸部又は凹部とが嵌合することによって、前記内ケースに固定されることを特徴とする請求項１または２に記載の電子体温計。
【請求項４】
前記一対の電極および／または前記内ケースが、前記凹部又は凸部を複数有していることを特徴とする請求項３に記載の電子体温計。
【請求項５】
前記一対の電極及び前記内ケースに、互いに嵌合可能に設けられたねじ嵌合部が設けられていることを特徴とする請求項１または２に記載の電子体温計。
【請求項６】
前記内ケースにおける電極固定部が弾力性を有する部分を有しており、前記一対の電極が前記プローブ部の内壁面に密着するように押し付けられて位置決めされることを特徴とする請求項１から５のいずれかに記載の電子体温計。
【発明の詳細な説明】
【技術分野】
【０００１】
本発明は、電子体温計に関するものである。
【背景技術】
【０００２】
従来、温度センサが配置された測温部に人体が接触しているか否かを検知することにより体温を正しく測ることが可能な電子体温計が知られている。
【０００３】
この種の電子体温計として、例えば、特許文献１には、人体の接触を検知する方法として、スイッチ、接触抵抗、静電容量、湿度、圧力（接点）、温度比較、温度変化などを利用した電子体温計が記載されている。
【０００４】
しかしながら、人体の接触状態を正しく検知するためには、検知部を適正な位置に配置して組み立てる必要があり、また、検知部を備えていない通常の電子体温計と比べると部品構成が複雑となるため、組立性に課題がある。特に、特許文献１に記載された構成では、接触検知部が検温プローブの表面に露出して設けられており、内部配線を含む接触検知部の組み付け作業としては、接触検知部を検温プローブの一部に設けられた穴に嵌め込む作業となるため、作業性の悪い構成となっている。また、検温プローブを分割して接触検知部を覆うように組み立てる構成とすることも考えられるが、検温プローブの分割部を固定することが必要となるため、作業工程が増えることになる。
【０００５】
また、使用者の体格の違い等により適切な接触検知位置が異なるような場合には、検知部の設置位置がそれぞれ異なる複数の検温プローブを用いることが考えられるが、この場合、それぞれに適した検温プローブと接触検知部を用意することが必要となるため、生産性の点で課題がある。
【０００６】
また、特許文献２には、接触検知部を導電性ペーストで構成したものが提案されているが、導電性ペーストをシートと一体化する必要があり構成が複雑となってしまう。
【特許文献１】特表昭６１−５０００３８号公報
【特許文献２】特開２００７−１９５６１８号公報
【発明の開示】
【発明が解決しようとする課題】
【０００７】
本発明は上記の従来技術の課題を解決するためになされたもので、その目的とするところは、簡易かつ組立の容易な構成により人体の接触状態を確認することができる電子体温計を提供することにある。
【課題を解決するための手段】
【０００８】
上記目的を達成するために、本発明における電子体温計は、
使用者の被測定部位に当てられる測温部を先端に備えるプローブ部を有し、該測温部に温度を検出するための温度センサが配置される内部中空の外ケースと、
前記温度センサによって検出されるデータを処理する制御回路が形成された電子回路基板が取り付けられて、前記外ケースの中空内部に装着される内ケースと、を備える電子体温計において、
前記内ケースに固定され、前記内ケースが前記外ケースに装着されることにより前記プローブ部の内側に位置決めされる一対の電極を備えるとともに、
前記制御回路には、前記一対の電極間の静電容量を計測し、計測された静電容量の変化に基づいて前記プローブ部が使用者の被測定部位に適切に接触しているか否かを判定する
判定部が設けられていることを特徴とする。
【０００９】
プローブが使用者の腋下等に挟まれるなどしてプローブ部が被測定部位に接触すると、プローブの中空内部に配置された一対の電極間の静電容量が変化する。この静電容量の変化に基づいて、プローブ部が使用者の被測定部位に適切に接触しているか否かを判定することができる。
【００１０】
この構成によれば、人体の接触状態を検出するための電極が、外ケースの中空内部に配置されるので、外ケースは従来と同じものを用いることができる。すなわち、外ケースの形状を電極の配置が可能な特別な形状に変更する等の必要がない。また、内ケースを外ケースの中空内部に装着することによって電極をプローブ部内側の適正な検出位置に位置決めすることが可能となるので、電極の取り付け作業が容易となる。
【００１１】
ここで、プローブ部が使用者の被測定部位に適切に接触している場合とは、例えば、温度センサが配置されたプローブ部先端が腋下の一番くぼんだ部分にしっかりと当てられた状態でプローブ部全体が腋下にしっかりと密着して挟み込まれている場合や、プローブ部先端が舌下にしっかりと当てられた状態でプローブ部全体が舌と下顎との間でしっかりと保持されている場合などが挙げられる。
【００１２】
前記一対の電極が、前記プローブ部の長手方向に互いに間隔を空けて並べられるとよい。
【００１３】
これにより、一対の電極においてプローブ部の長手方向に互いに対向する端面の間にギャップが形成される。電極間の静電容量の変化は、人体が接触する場所がギャップに近いほど大きくなるため、人体がギャップに沿ってプローブ部の外表面を周方向に囲むように接触したときの静電容量が最も大きくなる。通常、プローブ部が腋下に挟まれる場合はプローブ部外表面の全周に渡って人体が接触することになるため、このときの静電容量を測温部が被測定部位に適切に接触した状態における静電容量とすることにより、プローブ先端の測温部が腋下等にしっかりと挟まれているか否かを判定することができる。
【００１４】
前記一対の電極が、前記一対の電極に設けられた凹部又は凸部と前記内ケースに設けられた凸部又は凹部とが嵌合することによって、前記内ケースに固定されるとよい。
【００１５】
このように、凹部と凸部とによる凹凸嵌合によって電極を内ケースに固定する構成とすることにより、電極の取り付け作業が容易となると共に、電極を正確に位置決めすることも可能となる。
【００１６】
前記一対の電極および／または前記内ケースが、前記凹部又は凸部を複数有しているとよい。
【００１７】
これにより、嵌合する凹部と凸部とを変更することによって、電極の配置を容易に変更することができる。したがって、使用者の体格の違いによって適正な検出位置が異なるような場合には、電極の位置決め位置を変更することによって容易に製品仕様を変更することが可能となる。すなわち、製品仕様を変更するために電極の位置決め位置がそれぞれ異なる複数の種類の内ケースを用意する必要がなくなり、生産性に優れたものとすることができる。
【００１８】
あるいは、前記一対の電極及び前記内ケースに、互いに嵌合可能に設けられたねじ嵌合部が設けられているとよい。
【００１９】
このように、ねじ嵌合部が嵌合することによって電極を内ケースに固定する構成とすることにより、電極の取り付け作業が容易となる。また、嵌合位置を変更することによって電極の配置を容易に、かつ、より細かく変更することができる。したがって、使用者の体格の違いによって適正な検出位置が異なるような場合には、電極の位置決め位置を変更することによって容易に製品仕様の変更することが可能となる。すなわち、製品仕様を変更するために電極の位置決め位置がそれぞれ異なる複数の種類の内ケースを用意する必要がなくなり、生産性に優れたものとすることができる。
【００２０】
前記内ケースにおける電極固定部が弾力性を有する部分を有しており、前記一対の電極が前記プローブ部の内壁面に密着するように押し付けられて位置決めされるとよい。
【００２１】
電極間の静電容量の変化は人体が接触する場所と電極間のギャップの距離が近いほど大きくなる。したがって、電極がプローブ部の内壁面に密着することによって、電極と人体との間にプローブ部以外のもの、例えば、空気の層が介在しなくなるため、検出精度の向上を図ることができる。
【００２２】
なお、上記各構成は、可能な限り組み合わせて採用し得る。
【発明の効果】
【００２３】
以上説明したように、本発明により、簡易かつ組立の容易な構成により人体の接触状態を確認することができる。
【発明を実施するための最良の形態】
【００２４】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２５】
（実施例１）
図１〜図１１を参照して、本発明の実施例１に係る電子体温計について説明する。図１は、本発明の実施例１に係る電子体温計の斜視図である。図２は、本発明の実施例１に係る電子体温計のプローブ部周辺を拡大して示す斜視図である。図３は、本発明の実施例１に係る内ケースの一部を拡大して示す斜視図である。図４は、図３の裏側を示す斜視図である。図５は、本発明の実施例１に係る電極の斜視図である。図６は、本発明の実施例１に係る電子体温計の配線構成を説明する平面図である。図７は、本発明の実施例１に係る電子体温計の配線構成を説明する断面図である。図８は、横軸を時間（ｓ）、縦軸を静電容量（ｐＦ）とし、プローブ部が被測定部位に適切に接触した場合の静電容量の変化の様子を示すグラフである。図９は、電子体温計の電気的構成を示す概略ブロック図である。図１０は、人体の接触によって電極間の静電容量が変化する原理について説明する図であり、（ａ）は人体が接触していない状態における電極間の電荷の様子、（ｂ）は人体が接触した状態における電極間の電荷の様子をそれぞれ示している。図１１は、本発明の実施例１に係る電子体温計の体温測定のフローチャートである。
【００２６】
＜電子体温計全体の概略＞
主に、図１〜図３を参照して、本発明の実施例１に係る電子体温計全体の概略について説明する。
【００２７】
図１に示すように、本発明の実施例１に係る電子体温計１は、外観を構成するとともに防水性を備えた内部中空の外ケース（筐体）１０を備えている。外ケース１０は、表示部２１やスイッチ２２、電池等の電源を交換するためのバッテリカバー２３などを備えた本
体部２０と、腋下や舌下などの被測定部位に当てられる測温部３１を先端に備えたプローブ部３０とから構成されている。外ケース１０は、ＡＢＳ樹脂やエラストマーなどからなる。
【００２８】
図２に示すように、電子体温計１における各種主要な内部部品（回路基板、電源、ＬＣＤ等の表示パネル、ブザーなど）は、内ケース４０に取り付けられ、各種内部部品が取り付けられた内ケース４０が外ケース１０の中に装着される。
【００２９】
プローブ部３０先端の測温部３１は、ステンレス材（ＳＵＳ）等からなるキャップ５と、キャップ５の内部に接着剤により埋設固定されるサーミスタ等の温度センサ６と、から構成される。温度センサ６は、内ケース４０からプローブ部３０の中空内部を通って延びるリード線４１を介して、内ケース４０内のＣＲ発振回路に電気的に接続されている。温度センサ６は測温部３１（キャップ５）の外表面から伝達される熱に対応して抵抗値を変化させ、この抵抗値の変化がＣＲ発振回路に出力されることにより体温測定が行われる。
【００３０】
図２に示すように、本実施例に係る電子体温計１は、プローブ部３０の中空内部に、接触感知センサとしての一対の導体７ａ、７ｂが配置されている。
【００３１】
＜接触感知センサ＞
主に、図２〜図７を参照して、本実施例に係る電子体温計１における接触感知センサの構成について説明する。
【００３２】
図２に示すように、一対の導体７ａ、７ｂは、アルミニウム、りん青銅、銅、ＳＵＳ等からなる部材であり、互いに所定の間隔（ギャップ８）を空けてプローブ部３０の中空内部に長手方向に隣接して配置されている。導体７ａ、７ｂの外周面は、導体７ａ、７ｂと人体との間に空気の誘電層が形成されないように、プローブ部３０の内表面とほとんど隙間なく接触するように構成されている。
【００３３】
図３〜図５に示すように、一対の導体７ａ、７ｂは、内ケース４０からプローブ部３０内部をプローブ部３０の先端（測温部３１）側に向かって延びる電極固定部４２に固定される。電極固定部４２には凸部４３ａ、４３ｂが設けられている。導体７ａ、７ｂには凸部４３ａ、４３ｂにそれぞれ対応する凹部７０ａ、７０ｂが設けられており、導体７ａ、７ｂは、凹部７０ａ、７０ｂと凸部４３ａ、４３ｂの嵌合により電極固定部４２に固定される。また、導体７ａ及び電極固定部４２には、それぞれ、温度センサ６と内ケース４とをつなぐリード線４１を通すための溝部７１及び溝部４５が設けられている。
【００３４】
図６及び図７に示すように、電極固定部４２に固定された一対の導体７ａ、７ｂは、互いに絶縁された状態でそれぞれリード線４４ａ、４４ｂを介して内ケース４の回路基板に接続されており、電圧が加わることで電荷が蓄えられる一対の電極（コンデンサ）となる。この導体（電極）７ａ、７ｂ間に生じる静電容量は、人体がプローブ部３０を介して導体７ａ、７ｂの外側に接触すると、空気と人体の誘電率の違いにより変化する。これにより、この一対の導体（電極）７ａ、７ｂが、人体がプローブ部３０に接触しているか否かを感知する接触感知センサ７として機能する。
【００３５】
体温測定は、プローブ部３０が腋下等の人体の一部に挟持されるとともに、測温部３１が被測定部位に当てられた状態で行われる。したがって、プローブ部３０の内側に配置された接触感知センサ７が人体の接触状態を感知することで、測温部３１が被測定部位に適切に接触しているか否かを検出することができる。
【００３６】
図８に示すように、導体７ａ、７ｂ間の静電容量は、被測定部位が測温部３１に接触す
る前が約２ｐＦであったのに対し、接触した後は約３ｐＦとなっている。すなわち、被測定部位が測温部３１に接触することにより接触感知センサ７の静電容量は約１ｐＦ程度増加することがわかる。なお、図中のＭ１は、プローブ部が腋下にしっかり挟み込まれた瞬間を表している。したがって、例えば、静電容量の増加量が０．５ｐＦを超える場合を基準として、測温部３１が被測定部位に適切に接触しているか否かを判定することができる。
【００３７】
ここで、静電容量の増加量は、人体が接触する場所が、導体７ａ、７ｂにおいて最短距離を形成する対向面の間に形成されるギャップに近いほど大きくなる。本実施例においては、導体７ａ、７ｂの軸方向に対向する略環状の端面が最短距離を形成する対向面となり、この対向面間に形成されるギャップ８に沿って、人体がプローブ部３０の外表面を全周に渡って接触したときに静電容量の増加が最も大きくなる。したがって、このときの静電容量を測温部３１が被測定部位に適切に接触した状態における静電容量とすることにより、プローブ部３０先端の測温部３１が腋下等にしっかりと挟まれているか否かを判定することができる。
【００３８】
また、静電容量の増加量は、プローブ部３０と人体との接触領域が広くなるほど大きくなる。したがって、例えば、測温部３１が被測定部位に適切に接触していると判定する基準の増加量を、プローブ部３０を指先などでつまんだ状態での増加量よりも大きく設定することで誤判定を防止することができる。
【００３９】
＜電子体温計の電気的構成＞
図９に示すように、電子体温計１は、主として、温度センサ６と、接触感知センサ７と、電源部１１と、ＬＣＤ１２と、ブザー１３と、ＣＰＵ（中央処理装置）１４と、メモリ１５と、ＣＲ発振回路１６、１７と、を備えている。
【００４０】
電源部１１は、電池等の電源を有し、ＣＰＵ１４に電力を供給する。ＬＣＤ１２は、表示部として、ＣＰＵ１４からの制御により測定結果等を表示する。ブザー１３は、使用者に対する報知手段として、ＣＰＵ１４からの制御により警報を鳴らす。また、ＣＰＵ１４には、ＲＯＭやＲＡＭ等の記憶装置からなるメモリ１５が接続されている。
【００４１】
ＣＲ発振回路１６は、温度センサ６が出力する抵抗値の変化を周波数に変換してＣＰＵ１４に入力する。ＣＲ発振回路１７は、接触感知センサ７が出力する静電容量の変化を周波数に変換してＣＰＵ１４に入力する。
【００４２】
ここで、図１０を参照して、導体（電極）７ａ、７ｂ間の静電容量が変化する原理について説明する。なお、図では概念的に人体９と導体７とが直接接触しているように示しているが、実際には両者の間にプローブ部３０が介在している。
【００４３】
人体の比誘電率は空気の比誘電率よりも大きいため、人体９がプローブ部３０に接触すると人体９のうち電極近傍の領域において空気よりも多くの電荷が誘電される。これにより、導体７ａ、７ｂ間の静電容量が増加することになる。
【００４４】
ＣＰＵ１４は、ＣＲ発振回路１７で周波数変換された静電容量の変化を計測して、測温部３１が被測定部位に適切に接触しているか否かを判定する。すなわち、本実施例に係る電子体温計１では、ＣＰＵ１４が、本発明における計測部と判定部とを兼ねている。
【００４５】
＜体温測定フロー＞
図１１を参照して、本実施例に係る電子体温計１における体温測定のフローについて説明する。なお、ここでは本実施例の電子体温計１が予測式の場合を例にとって説明する。
【００４６】
本実施例に係る電子体温計１は、電源がオンになると（Ｓ１０１）、ＣＰＵ１４は、温度センサ６による温度の検出を開始するとともに（Ｓ１０２）、接触感知センサ７による静電容量の検出を開始する（Ｓ１０３）。電源投入直後に検出された静電容量の値Ｃ０（ｐＦ）はメモリ１５に記憶され、ＣＰＵ１４は、その後に検出される静電容量の値Ｃ（ｐＦ）がＣ０に対して所定値を超えて増加したか否かにより、測温部３１が被測定部位に適切に接触したか否かを判定する（Ｓ１０４）。電源投入直後においては、電子体温計１がまだ腋下に挟まれていない状態であり、検出される静電容量Ｃに変化は生じないため、ＣＰＵ１４は、測温部３１が被測定部位に適切に接触していないとして（Ｓ１０４、ＮＯ）、ブザー１３が警報を鳴らす（Ｓ１０５）。温度及び静電容量の検出は、検出された静電容量の値Ｃが、警報発生から一定時間内に電源投入直後の静電容量の値Ｃ０に対して所定値を超えて増大するまで、すなわち、測温部３１が被測定部位に適切に接触したと判定されるまで、繰り返される（Ｓ１０４、ＮＯ、Ｓ１０６、ＮＯ）。検出された値は随時メモリ１５に記憶される。
【００４７】
ここで、上述の所定値としては、例えば、０．５ｐＦとすることができる。また、検出条件の一例としては、例えば、温度及び静電容量の検出は１秒間毎に行い、測温部３１が被測定部位に適切に接触したか否かを判定する期間を１５秒間とすることができる。なお、これらの条件は一例であり、これに限定するものではない。
【００４８】
一定時間経過しても静電容量の増加量（Ｃ−Ｃ０）が所定値に満たない場合には（Ｓ１０６、ＹＥＳ）、ＣＰＵ１４は、測温部３１が被測定部位に適切に接触した状態にないと判定して測定を中止し、エラー表示をＬＣＤ１２に表示する（Ｓ１０７）。一方、一定時間内に静電容量の増加量（Ｃ−Ｃ０）が所定値を超えた場合には（Ｓ１０４、ＹＥＳ）、ＣＰＵ１４は、測温部３１が被測定部位に適切に接触したと判定して体温測定に移行し、予測測定を開始する（Ｓ１０８）。
【００４９】
予測測定開始直後に最初に検出される静電容量の値と電源投入直後の静電容量の値との差（Ｃ−Ｃ０）が所定値を下回っていなければ（Ｓ１１０、ＹＥＳ）、ブザー１３は警報を中止し（Ｓ１１４）、ＣＰＵ１４は、予測完了条件が満たされるまで温度測定を継続するとともに、引き続き接触感知センサ７の静電容量の検出を継続する（Ｓ１１５、ＮＯ、Ｓ１０８、Ｓ１０９）。体温測定中に、例えば、測温部３１の位置がずれるなどにより、検出された静電容量の値と電源投入直後の静電容量の値との差（Ｃ−Ｃ０）が、前述の所定値を下回った場合には（Ｓ１１０、ＮＯ）、ＣＰＵ１４は、測温部３１が被測定部位に対して適切に接触していないと判定し、ブザー１３が警報を鳴らす（Ｓ１１１）。警報は、検出された静電容量の値と電源投入直後の静電容量の値との差（Ｃ−Ｃ０）が、一定時間（例えば、１５秒）内に前述の所定値を超えるまで、すなわち、測温部３１の位置のずれを修正するなどして測温部３１が被測定部位に適切に接触していると判定されるまで、継続あるいは繰り返される（Ｓ１１０、ＮＯ、Ｓ１１１、Ｓ１１２、ＮＯ）。
【００５０】
測温部３１の位置が修正されずに、警報発生から一定時間内に静電容量の差（Ｃ−Ｃ０）が所定値を超えなかった場合には（Ｓ１１２、ＹＥＳ）、ＣＰＵ１４は、測定を中止してエラー表示をＬＣＤ１２に表示する（Ｓ１１３）。一方、測温部３１の位置が修正されて、警報発生から一定時間内に静電容量の差（Ｃ−Ｃ０）が所定値を超えた場合には（Ｓ１１２、ＮＯ、Ｓ１１０、ＹＥＳ）、ブザー１３は警報を中止して（Ｓ１１４）、ＣＰＵ１４は予測完了条件が満たされるまで体温及び静電容量の検出を継続する（Ｓ１１５、ＮＯ）。
【００５１】
警報が鳴らされずに静電容量の差（Ｃ−Ｃ０）が所定値よりも大きな値で維持されている間は（Ｓ１１０、ＹＥＳ）、ＣＰＵ１４は、適切な接触状態が維持されていると判定し
、Ｓ１１４をスキップして予測完了条件が満たされるまで体温及び静電容量の検出を継続する（Ｓ１１５、ＮＯ）。
【００５２】
予測完了条件が満たされると（Ｓ１１５、ＹＥＳ）、ＣＰＵ１４は測定を終了し、予測値を算出して測定結果をＬＣＤ１２に表示する（Ｓ１１６）。
【００５３】
＜本実施例の優れた点＞
本実施例によれば、人体の接触状態を検出するための電極が、外ケースの中空内部に配置されるので、外ケースは従来と同じものを用いることができる。すなわち、外ケースの形状を電極の配置が可能な特別な形状に変更する等の必要がない。また、内ケースを外ケースの中空内部に装着することによって電極をプローブ部内側の適正な検出位置に位置決めすることが可能となるので、電極の取り付け作業が容易となる。
【００５４】
したがって、本実施例によれば、簡易かつ組立の容易な構成により人体の接触状態を確認することができる。
【００５５】
＜変形例＞
図１２〜図１４を参照して本実施例の変形例に係る電子体温計について説明する。図１２は、変形例１に係る電子体温計の模式図である。図１３は、変形例２に係る電子体温計の模式図であり、（ａ）はプローブ部の断面、（ｂ）は導体の断面、（ｃ）はプローブ部の一部を切り欠いて示す斜視図である。図１４は、変形例３に係る電子体温計の模式的断面図である。
【００５６】
一対の導体と内ケースとの固定方法としては、上記の実施例のような凹凸嵌合によるものに限定されず、種々の方法を適宜採用しうるものである。図１２に示す変形例１に係る電子体温計においては、電極固定部４２ａに、凸部４３ａ、４３ｂに代えて、傾斜あるいはテーパ状の面４３ｃが設けられており、一対の導体７ａ、７ｂに、面４３ｃに対応する傾斜あるいはテーパ状の面７０ａ′、７０ｂ′が設けられている。これら面４３ｃと面７０ａ′、７０ｂとが当接することにより、一対の導体７ａ、７ｂが電極固定部４２ａに位置決め固定される。
【００５７】
また、図１３に示す変形例２に係る電子体温計においては、内ケース４に固定された導体７ａ、７ｂがプローブ部３０に挿入される方向に沿って、プローブ部３０の内壁面に溝３２が設けられている。また、この溝３２に嵌め込まれる凸部（リブ）７２が導体７ａの外周面に設けられている。このようにプローブ部３０と導体７ａ、７ｂとの接触面が凹凸面で構成されることにより、プローブ部３０と導体７ａ、７ｂとの接触面積を増加して静電容量の変化量を大きくして検出精度の向上を図ることができる。また、凸部７２が溝３２に嵌められた状態で導体７ａ、７ｂを押し込むことにより、導体７ａ、７ｂの挿入（取付）をスムーズに行うことができる。なお、導体７ａ、７ｂの外周面に溝を設けてプローブ部３０の内壁面に凸部を設ける構成であってもよい。
【００５８】
また、図１４に示す変形例３に係る電子体温計においては、電極固定部４２ｂが弾力性を有する部分を有しており、内ケースが外ケースに装着された状態において、電極固定部４２ｂによって導体７ａ、７ｂがプローブ部３０の内壁面３３に押し付けられて密着した状態となるように構成されている。このように、導体７ａ、７ｂがプローブ部３０の内壁面３３に密着することによって、導体７ａ、７ｂと人体との間にプローブ部３０以外のもの、例えば、空気の層が介在しなくなるため、検出精度の向上を図ることができる。なお、仮に電極固定部４２ｂ全体が弾力性を有していると、電極固定部４２ｂの押し付け具合によっては組付け時に導体７ａ、７ｂ間のギャップが小さくなってしまうことが考えられるため、電極固定部４２ｂにおいて弾力性を有する部分は、導体７ａ、７ｂ間以外の部分
とするのが好適である。より好適には、電極固定部４２ｂは、基板に近い側の導体７ｂが固定される部分と内ケースにおける基板固定部分との間の部分にエラストマー等の弾性部材が一体成形された構成とし、それ以外の部分が内ケースと同じ材質の部材で構成されるとよい。このような構成によれば、導体７ａ、７ｂが固定される部分や導体７ａ、７ｂ間が安定して嵌合固定される状態とすることができる。
【００５９】
（実施例２）
次に、図１５〜図１７を参照して、本発明の実施例２に係る電子体温計１ａについて説明する。図１５は、本発明の実施例２に係る電子体温計１ａにおける電極と内ケース（電極固定部）との固定部分の様子を示す斜視図である。図１６は、本発明の実施例２に係る電極の斜視図である。図１７は、本発明の実施例２に係る内ケースの一部（電極固定部）の斜視図である。ここでは、上記実施例と異なる点についてのみ説明し、共通する部材や構成については同様の符号を付して説明を省略する。また、共通する部材や構成によって生じる作用や効果等についても同様である。
【００６０】
本実施例では、導体を内ケースに固定する際に、一対の導体間に形成される隙間の距離（ギャップ）を選択できるように構成されている。
【００６１】
図に示すように、導体７ａ′には、２つの凹部７０ａ、７０ｃが設けられており、電極固定部４２ｃには、２つの凸部４３ａ、４３ｃが設けられている。図１５に示すように、凸部４３ｃが凹部７０ａに嵌合した状態においては、導体７ａ′と導体７ｂ′との間のギャップが大きい装着状態となる。一方、図示を省略するが、凹部７０ａに凸部４３ａが嵌合し、凹部７０ｃに凸部４３ｃが嵌合した状態においては、導体７ａ′と導体７ｂ′との間のギャップが狭くなる装着状態となる。
【００６２】
このように、凹部と凸部の嵌合の組み合わせを変えることにより、導体間のギャップを調整することができる。したがって、使用者の体格に適したギャップで導体を固定して電子体温計を製造することにより、異なる製品仕様に対して１種類の内ケース（電極固定部）及び導体によって対応することができる。すなわち、取付位置の異なる複数種類の内ケース（電極固定部）や導体等を用意する必要がなくなり、生産性に優れたものとすることができる。
【００６３】
（実施例３）
次に、図１８〜図２０を参照して、本発明の実施例３に係る電子体温計１ｃについて説明する。図１８は、本発明の実施例３に係る電子体温計１ｂにおける電極と内ケース（電極固定部）との固定部分の様子を示す斜視図である。図１９は、本発明の実施例３に係る電極の斜視図である。図２０は、本発明の実施例３に係る内ケースの一部（電極固定部）の斜視図である。ここでは、上記実施例と異なる点についてのみ説明し、共通する部材や構成については同様の符号を付して説明を省略する。また、共通する部材や構成によって生じる作用や効果等についても同様である。
【００６４】
本実施例では、導体を内ケースに固定する際に、導体間のギャップだけでなく、ギャップが形成される位置も選択できるように構成されている。
【００６５】
図に示すように、導体７ａ′′、７ｂ′′には、それぞれ凸部７３ａ、７３ｂが設けられており、電極固定部４２ｄには、凸部７３ａ、７３ｂが嵌合可能な複数の穴４６が電極固定部４２ｄの延出方向（プローブ部の長手方向）に沿って等配されている。これら凸部７３ａ、７３ｂと穴４６とが嵌合することにより、導体７ａ′′、７ｂ′′が電極固定部４２ｄに固定されることになる。
【００６６】
また、凸部７３ａ、７３ｂを嵌める穴４６を変えることによって、導体７ａ′′、７ｂ′′のそれぞれの固定位置を変更することができる。すなわち、導体７ａ′′、７ｂ′′間のギャップの大きさを変えることもできるし、プローブ部におけるギャップの位置を変えることもできる。
【００６７】
したがって、使用者の体格に適したギャップを選択して電子体温計を製造することにより、異なる製品仕様に対して１種類の内ケース（電極固定部）及び導体によって対応することができる。すなわち、取付位置の異なる複数種類の内ケース（電極固定部）や導体等を用意する必要がなくなり、生産性に優れたものとすることができる。
【００６８】
（実施例４）
次に、図２１を参照して、本発明の実施例４に係る電子体温計１ｃについて説明する。図２１は、本発明の実施例４に係る電子体温計１ｃの構成を説明する模式図であり、（ａ）は本発明の実施例４に係る電極及び内ケースの一部（電極固定部）の斜視図であり、（ｂ）は本発明の実施例４に係る電極及び内ケースの一部（電極固定部）の断面図である。
【００６９】
本実施例では、導体を内ケースに固定する際に、導体間のギャップの大きさ及びギャップが形成される位置を細かく選択できるように構成されている。
【００７０】
図に示すように、内ケースにおける一対の導体の固定部分（電極固定部）が、外周面に雄ねじが形成されたねじ部４２ｆとなっている。また、導体７ａ′′′は、内周面に雌ねじが形成された貫通しないねじ穴７４ａ、導体７ｂ′′′は、内周面に雌ねじが形成された貫通するねじ孔７４ｂ、をそれぞれ有している。これらねじ部４２ｆとねじ穴７４ａ、ねじ孔７４ｂとが嵌合されることによって、導体７ａ′′′、７ｂ′′′が内ケース（ねじ部４２ｆ）に固定される（ねじ嵌合部）。なお、導体７ａ′′′のねじ穴７４ａは貫通するねじ孔にしてもよい。
【００７１】
また、ねじ部４２ｆとねじ穴７４ａ、ねじ孔７４ｂとの嵌合位置を変えることによって、導体７ａ′′′、７ｂ′′′のそれぞれの固定位置を変更することができる。すなわち、導体７ａ′′′、７ｂ′′′間のギャップの大きさを変えることもできるし、プローブ部におけるギャップの位置を変えることもできる。特に、ねじ部の嵌合位置の調整によって位置を変えることができるので、上記実施例３よりも、より細かい位置調整が可能となる。
【００７２】
したがって、使用者の体格に適したギャップを選択して電子体温計を製造することにより、異なる製品仕様に対して１種類の内ケース（電極固定部）及び導体によって対応することができる。すなわち、取付位置の異なる複数種類の内ケース（電極固定部）や導体等を用意する必要がなくなり、生産性に優れたものとすることができる。
【００７３】
以上述べた実施例の構成は、本発明の一具体例にすぎない。本発明は上記具体例に限定されることはなく、その技術的思想の範囲でさまざまな変形が可能である。また、上記実施例で述べた構成は、互いに組み合わせてもよい。
【図面の簡単な説明】
【００７４】
【図１】本発明の実施例１に係る電子体温計の斜視図である。
【図２】本発明の実施例１に係る電子体温計のプローブ部周辺を拡大して示す斜視図である。
【図３】本発明の実施例１に係る内ケースの一部を拡大して示す斜視図である。
【図４】図３の裏側を示す斜視図である。
【図５】本発明の実施例１に係る電極の斜視図である。
【図６】本発明の実施例１に係る電子体温計の配線構成を説明する平面図である。
【図７】本発明の実施例１に係る電子体温計の配線構成を説明する断面図である。
【図８】測温部に被測定部位が適切に接触した場合の静電容量の変化の様子を示すグラフである。
【図９】電子体温計の電気的構成を示す概略ブロック図である。
【図１０】導体間の静電容量が変化する原理について説明する図である。
【図１１】電子体温計の体温測定のフローチャートである。
【図１２】変形例１に係る電子体温計の模式図である。
【図１３】変形例２に係る電子体温計の模式図である。
【図１４】変形例３に係る電子体温計の模式的断面図である。
【図１５】本発明の実施例２に係る電極と内ケースとの固定部分の様子を示す斜視図である。
【図１６】本発明の実施例２に係る電極の斜視図である。
【図１７】本発明の実施例２に係る内ケースの一部（電極固定部）の斜視図である。
【図１８】本発明の実施例３に係る電極と内ケースとの固定部分の様子を示す斜視図である。
【図１９】本発明の実施例３に係る電極の斜視図である。
【図２０】本発明の実施例３に係る内ケースの一部（電極固定部）の斜視図である。
【図２１】本発明の実施例４に係る電子体温計１ｃの構成を説明する模式図である。
【符号の説明】
【００７５】
１   電子体温計
１０ 外ケース
２０ 本体部
３０ プローブ部
３１ 測温部
４０ 内ケース
５   キャップ
６   温度センサ
７   接触感知センサ
７ａ、７ｂ  導体（電極）
８   ギャップ
９   人体
１１ 電源部
１２ ＬＣＤ
１３ ブザー
１４ ＣＰＵ
１５ メモリ
１６、１７  ＣＲ発振回路
【図１】
2010032324.tif 000003
【図２】
2010032324.tif 000004
【図３】
2010032324.tif 000005
【図４】
2010032324.tif 000006
【図５】
2010032324.tif 000007
【図６】
2010032324.tif 000008
【図７】
2010032324.tif 000009
【図８】
2010032324.tif 000010
【図９】
2010032324.tif 000011
【図１０】
2010032324.tif 000012
【図１１】
2010032324.tif 000013
【図１２】
2010032324.tif 000014
【図１３】
2010032324.tif 000015
【図１４】
2010032324.tif 000016
【図１５】
2010032324.tif 000017
【図１６】
2010032324.tif 000018
【図１７】
2010032324.tif 000019
【図１８】
2010032324.tif 000020
【図１９】
2010032324.tif 000021
【図２０】
2010032324.tif 000022
【図２１】
2010032324.tif 000023